(57)【要約】【課題】施工現場にての仮型枠を必要とすることなく、プレキャスト製の型枠工にて短時間にて築工する。【解決手段】前面板８の後側に控え脚９ａ，９ｂを設けた前法ブロック５と、背面板１３の後側に控え脚１４ａ，１４ｂを設けた後法ブロック６とを、前法ブロックの前面板を沖側へ向け、後法ブロックの背面板を陸側へ向けて対置すると共に、両法ブロックの相互を、各法ブロックの控え脚に設けた係合部に係合する連結ブロック７ａ，７ｂ，７ｃにて連結して組み立て枠段２ａ，２ｂ，２ｃとし、この組み立て枠段の少なくとも１段を横方向に並べて設置し、最上段の組み立て枠段の上側に、前面を上下方向にわたって凹面状にした波返し板１９の背面側に控え脚２０ａ，２０ｂを設けると共に、控え脚の背面側に背面パネル２１ａ，２１ｂ，２１ｃを固着してなる波返しブロック３を、これの波返し板を沖側へ向けて載置し、上記組み立て枠段及び波返しブロックの空間内に生コンクリートを打設し、上記各部材をプレキャストコンクリートにて構成した。【選択図】図１
2010174493.tif 000002
【特許請求の範囲】
【請求項１】
前面板の後側に控え脚を設けた前法ブロックと、背面板の後側に控え脚を設けた後法ブロックとを、前法ブロックの前面板を沖側へ向け、後法ブロックの背面板を陸側へ向けて対置すると共に、両法ブロックの相互を、各法ブロックの控え脚に設けた係合部に係合する連結ブロックにて連結して組み立て枠段とし、
この組み立て枠段の少なくとも１段を横方向に並べて設置し、
最上段の組み立て枠段の上側に、
前面を上下方向にわたって凹面状にした波返し板の背面側に控え脚を設けると共に、控え脚の背面側に背面パネルを固着してなる波返しブロックを、これの波返し板を沖側へ向けて載置し、
上記組み立て枠段及び波返しブロックの空間内に生コンクリートを打設し、
上記各部材をプレキャストコンクリートにて構成した
ことを特徴とする堤防。
【発明の詳細な説明】
【技術分野】
【０００１】
本発明は、主として海岸に設置される堤防に関するものである。
【背景技術】
【０００２】
昭和３０〜４０年代に築造されて老朽化した海岸堤防、護岸が、近年台風や風浪などにより被災して倒壊する事態が相次いでいる。
【０００３】
これらの堤防（海岸堤防、護岸）を復旧、または新たに築造する場合、従来は、合板型枠を沖側と陸側に所定の壁体厚さが確保できるように設置し（型枠工）、その中に異形鉄筋を組み立て（鉄筋工）、生コンクリートを打設し（コンクリート工）、これを順次繰り返して延長方向および上側方向へ施工するようにしている。
【発明の概要】
【発明が解決しようとする課題】
【０００４】
このような従来の築造方法は、海岸域の工事では、現状においても一般的に用いられており、その工種の多さから非常に長い施工期間を要するものであった。また、工事の進捗や作業者の安全性が、天候や波浪などの海象条件に左右されやすく、内陸域の工事に比べ、１年程度の工事期間を必要とするのが普通である。
【０００５】
さらに、上記の築造方法を実施するためには、波の進入を防ぎ、作業者が安全に施工を進めるために、海側に鋼矢板による仮設締め切り及び排水工を事前に施工しておかねばならない場合が多く、本体工築造とは別に、非常に多額の仮設工事費用を必要とする問題があった。
【０００６】
本発明は上記のことに鑑みなされたもので、海岸等の施工現場にて、仮型枠を用いることなく、すなわち型枠工を必要とすることなく、プレキャスト製の型枠工により短時間にて築工できるようにした堤防を提供することを目的とするものである。
【課題を解決するための手段】
【０００７】
上記目的を達成するために、本発明に係る堤防は、前面板の後側に控え脚を設けた前法ブロックと、背面板の後側に控え脚を設けた後法ブロックとを、前法ブロックの前面板を沖側へ向け、後法ブロックの背面板を陸側へ向けて対置すると共に、両法ブロックの相互を、各法ブロックの控え脚に設けた係合部に係合する連結ブロックにて連結して組み立て枠段とし、この組み立て枠段の少なくとも１段を横方向に並べて設置し、最上段の組み立て枠段の上側に、前面を上下方向にわたって凹面状にした波返し板の背面側に控え脚を設けると共に、控え脚の背面側に背面パネルを固着してなる波返しブロックを、これの波返し板を沖側へ向けて載置し、上記組み立て枠段及び波返しブロックの空間内に生コンクリートを打設し、上記各部材をプレキャストコンクリートにて構成した。
【発明の効果】
【０００８】
本発明によれば、海岸の施工現場にて、仮型枠を用いる仮型枠工を必要とせず、したがって施工現場での合板型枠設置、撤去、及び鉄筋工による配筋作業が不要となり、合理的に海岸の堤防を築造することができ、この種の堤防の施工期間を大幅に短縮することが可能となる。また上記のように、仮型枠工を必要としないことにより、作業者の安全性の向上、仮設工費用を含む全体の工事費の削減を図ることができる。
【図面の簡単な説明】
【０００９】
【図１】本発明に係る堤防の一例を示す一部破断側面図である。
【図２】上記堤防の一部正面図である。
【図３】図２のＡ−Ａ線断面矢視図である。
【図４】前法ブロックの正面図である。
【図５】前法ブロックの側面図である。
【図６】前法ブロックの平面図である。
【図７】前法ブロックの背面図である。
【図８】前法ブロックの底面図である。
【図９】後法ブロックの正面図である。
【図１０】後法ブロックの側面図である。
【図１１】後法ブロックの平面図である。
【図１２】後法ブロックの背面図である。
【図１３】後法ブロックの底面図である。
【図１４】連結ブロックの正面図である。
【図１５】波返しブロックの側面図である。
【図１６】波返しブロックの平面図である。
【図１７】波返しブロックの背面図である。
【図１８】背面パネルの正面図である。
【図１９】前法ブロックと後法ブロックの連結構成の他例を示す分解斜視図である。
【発明を実施するための形態】
【００１０】
図１〜図３は本発明に係る堤防の一例を示すもので、図１は一部破断側面図、図２はその一部を示す正面図、図３は図２のＡ−Ａ線断面矢視図である。
【００１１】
図１において堤防１は、複数段、例えば３段の組み立て枠段２ａ，２ｂ，２ｃを積み重ね、最上段の組み立て枠段２ｃの上側に波返しブロック３を積み重ね、この積み重ね段列を横方向に並べると共に、各ブロック内にコンクリート４を打設した構成になっている。
【００１２】
上記各組み立て枠段２ａ〜２ｃは、前後方向に離隔して対置される前法ブロック５と後法ブロック６と、各段ごとで異なる長さで、上記各段の前法ブロック５と後法ブロック６を連結する連結ブロック７ａ，７ｂ，７ｃとからなっている。上記前法ブロック５、後法ブロック６は各段ごとで同一のものが用いられている。なお、この両ブロック５，６は同一幅になっている。
【００１３】
前法ブロック５は図４〜図８に示すようになっていて、図４は正面図、図５は側面図、図６は平面図、図７は背面図、図８は底面図である。
【００１４】
この前法ブロック５は前面板８と、この前面板８の後側で、かつ横方向両外側端から横方向長さの略１／４の位置に設けられた控え脚９ａ，９ｂと、各控え脚９ａ，９ｂのそれぞれの横方向外側に、前面板８と平行に設けた突条１０ａ，１０ｂとを一体成形した構成になっている。この前法ブロック５は、これの前面板８及び控え脚９ａ，９ｂは下端に対して上端が後退する傾斜形状になっており、また両控え脚９ａ，９ｂの上下の両端は、前面板８の上下両端から水平状になっている。そして各控え脚９ａ，９ｂの下端には凹部１１が、また上端にはこの凹部１１に係合する形状の突部１２が設けてある。
【００１５】
後法ブロック６は図９から図１３に示すようになっていて、図９は正面図、図１０は側面図、図１１は平面図、図１２は背面図、図１３は底面図である。
【００１６】
後法ブロック６は背面板１３と、この背面板１３の後側で、かつ横方向両外側端から横方向長さの略１／４の位置に設けられた控え脚１４ａ，１４ｂと、この控え脚１４ａ，１４ｂのそれぞれの横方向外側に背面板１３と平行に設けた突条１５ａ，１５ｂとを一体成形した構成になっている。この後法ブロック６は上記前法ブロック５と同一の高さで、略垂直状に形成されており、両控え脚１４ａ，１４ｂの上下の両端は後面板１２の上下両端から水平状になっている。そしてこの各控え脚１４ａ，１４ｂの下端には凹部１６が、また上端にはこの凹部１６に係合する形状の突部１７が設けてある。
【００１７】
上記前法ブロック５をこれの前面板８を前方へ向けて各段ごとに積み重ねることにより、各前法ブロック５の前面板８により、後側へ傾斜する前面壁が形成される。また、後法ブロック６を背面板１３を後方へ向けて各段ごとに積み重ねることにより、各後法ブロック６の背面板１３により後面壁が形成される。
【００１８】
そして各段の前法ブロック５と後法ブロック６の間隔は、上記前法ブロック５の傾斜にしたがって上段側ほど狭くなっており、したがって格段の前法ブロックの控え脚９ａ，９ｂに設けた突条１０ａ，１０ｂと後方ブロック６の控え脚１４ａ，１４ｂとに設けた突条１５ａ，１５ｂの間隔が下側から順に短くなる。
【００１９】
連結ブロック７ａ，７ｂ，７ｃは図１４に示すようになっていて、この両端部の下面に、上記前方ブロック５の突条１０ａ，１０ｂと後方ブロック６の突条１５ａ，１５ｂに係合する係合溝１８ａ，１８ｂが設けてある。そしてこの各連結ブロック７ａ〜７ｃの長さ及び係合溝１８ａ，１８ｂの間隔は図１に示すように、各組み立て枠段２ａ〜２ｃにおける前法ブロック５と後法ブロック６の突条間隔にあわせて形成されている。すなわち、この連結ブロック７ａ〜７ｃは、上記各段の両突条１０ａ，１０ｂ，１５ａ，１５ｂに係合するものをそれぞれ用意しておく。
【００２０】
波返しブロック３は図１５から図１７に示すようになっていて、図１５は側面図、図１６は平面図、図１７は背面図である。
【００２１】
波返しブロック３は前側下端から上方へ向けて凹面状に形成された波返し板１９と、この波返し板１９の背面側で、かつ横方向両側端から横方向長さの１／４の位置に設けられた控え脚２０ａ，２０ｂとからなっている。波返しブロック３は上記前後の法ブロック５，６と同一幅になっており、したがってこの波返しブロック１３の控え脚２０ａ，２０ｂの位置も両ブロック５，６のものと同一位置となっている。各控え脚２０ａ，２０ｂの下端面には、上記前法ブロック５及び後法ブロック６のそれぞれの上側の突部１１，１７が前後方向に係合する形状の凹部２１が設けてある。
【００２２】
この波返しブロック３は図１に示すように、３段目の組み立て枠段２ｃの上側に積み重ねるようにした例を示すもので、この波返しブロック３の下端の前後方向の大きさは３段目の組み立て枠段２ｃの上端の大きさに合わせてある。すなわち、この波返しブロック３の波返し板１９の前側下端は、最上段の組み立て枠段２ｃの前面板８の上前端と一致し、この波返しブロック３の波返し板１９の勾配が最上段の組み立て枠段２ｃの前面板の勾配と連続するようにしてある。
【００２３】
上記波返しブロック３の控え脚２０ａ，２０ｂの背面は縦方向に折れ線状になっていて、これの各直線部に上記波返し板１９と同一幅の背面パネル２１ａ，２１ｂ，２１ｃが固定されている。この背面パネルの固定は、控え脚２０ａ，２０ｂにインサートされたステンレス製のナット部材２２に螺合するステンレス製のボルトにて行われる。この背面パネル２１ａ〜２１ｃは、例えば図１８に示すようになっていて、これの上下方向の幅は上記波返し板１９の控え脚２０ａ，２０ｂの折れ線の長さに合わせた幅のものを用意しておく。
【００２４】
上記構成における波返しブロック３、前法ブロック５、後法ブロック６、連結ブロック７ａ，７ｂ，７ｃ、さらに背面パネル２１ａ，２１ｂ，２１ｃのそれぞれは、あらかじめ工場で成形されるプレキャストコンクリートにて構成されている。
【００２５】
次に本発明に係る堤防の築造工程を説明する。
【００２６】
例えば海岸に設けた基盤２３上に、前法ブロック５と後法ブロック６とを、前法ブロック５の前面板８を沖側へ向け、後法ブロック６の背面板１３を陸側へ向けて所定の間隔をあけて対向させて設置し、この両ブロック５，６の突条１０ａ，１０ｂ，１５ａ，１５ｂに連結ブロック７ａを係合して両ブロック５，６を前後方向に連結して１段目の組み立て枠段２ａとする。そしてこの１段目の組み立て枠段２ａを海岸沿いに所定の長さにわたって並べて設置する。このときの１段目の前後の法ブロック５，６の間隔は、この１段目に用いる連結ブロック７ａの長さによって決められる。そしてこの連結ブロック７ａは、図３に示すように横方向に隣接する相互の法ブロックの突条１０ａ，１０ｂ，１５ａ，１５ｂにまたがって係合することにより、連結ブロック７ａの使用数を少なくすることができる。
【００２７】
上記のようにして組み立てられた１段目の組み立て枠段２ａの両法ブロック５，６間の空間内に、これの高さの略１／２程度まで生コンクリートを打設する。
【００２８】
ついで上記１段目の組み立て枠段２ａの上側で、かつこれの横方向全長にわたって、これの前法ブロック５の上側に２段目の前法ブロック５を、また１段目の後法ブロック６の上側に２段目の後法ブロック６を積み重ねると共に、各前後の法ブロック５，６を上記１段目と同様に２段目の連結ブロック７ｂにて前後方向に連結することにより、２段目の組み立て枠段２ｂを積み重ねる。
【００２９】
このときの上下に積み重ねられる各法ブロックは、それぞれの上面に設けた突起１２，１７に下面に設けた１１，１６に係合されて、各上下の法ブロックは前後方向に係合された状態で積み重ねられる。
【００３０】
ついで上記のように２段目の組み立て枠段２ｂを組み立てた状態で、上記２段目の上側からこの段の略１／２の位置まで生コンクリートを打設する。
【００３１】
３段目の組み立て枠段２ｃを、同様に各法ブロック５，６を積み重ねると共に前後の法ブロック５，６を３段目の連結ブロック７ｃにて前後方向に連結して構築し、ついで上記３段目の上側からこれの略１／２の位置まで生コンクリートを打設する。
【００３２】
上記のようにして組み立てられる各段の組み立て枠段２ａ〜２ｃの前後の法ブロック５，６の間隔は、前法ブロック５の傾斜に応じて変化し、したがって各段の連結ブロック７ａ〜７ｃは、この各段ごとに適合するものを用いる。
【００３３】
波返しブロック３は、上記最上段（３段目）の組み立て枠段２ｃの上面に、これの横方向全長にわたって積み重ねる。このとき、各波返しブロック３の下面に設けた凹部２１を組み立て枠段２ｃの前後の法ブロック５，６の突起１２，１７に係合して前後方向に結合する。
【００３４】
その後、各波返しブロック３の背面に図１８に示す背面パネル２１ａ〜２１ｃを取り付ける。そしてこの背面パネル２１ａ〜２１ｃと波返し板１９との間の空間内上端まで生コンクリートを打設することにより堤防の築造が完成される。なおこのときにおいて、生コンクリートの打設時に、この打設空間内に必要に応じて鉄筋を配設してもよい。
【００３５】
上記実施の形態において、組み立て枠段２ａ，２ｂ，２ｃを３段積みにした例を示したが、これは２段、４段、あるいは１段であってもよい。そして波返しブロック３は、この組み立て枠段の上端における前法ブロック５と後法ブロック６の間隔に合わせたものを用意する。
【００３６】
また、連結ブロック７ａ，７ｂ，７ｃによる両法ブロック５，６の連結構造は、上記した突条１０ａ，１０ｂ，１５ａ，１５ｂによることなく、図１９に示すように、前法ブロック５、後法ブロック６の控え脚９ａ′，９ｂ′，１４ａ′，１４ｂ′の外側面に溝２４，２４を設け、この両溝２４，２４に両端に突起２５，２５を有する連結ブロック７ａ′，７ｂ′，７ｃ′を係合することにより、両法ブロック５，６を前後方向に連結するようにしてもよい。要するに、前後の法ブロック５，６の控え脚が連結ブロックにて前後方向に連結される構造であればよい。
【符号の説明】
【００３７】
１…堤防、２ａ，２ｂ，２ｃ…組み立て枠段、３…波返しブロック、４…コンクリート、５…前法ブロック、６…後法ブロック、７ａ，７ｂ，７ｃ，７ａ′，７ｂ′，７ｃ′…連結ブロック、８…前面板、９ａ，９ｂ，１４ａ，１４ｂ，９ａ′，９ｂ′，１４ａ′，１４ｂ′，２０ａ，２０ｂ…控え脚、１０ａ，１０ｂ，１５ａ，１５ｂ…突条、１１，１６，２１…凹部、１２，１７…突部、１３…背面板、１８ａ，１８ｂ…係合溝、１９…波返し板、２１ａ，２１ｂ，２１ｃ…背面パネル、２２…ナット部材、２３…基盤、２４…溝、２５…突起。
【図１】
2010174493.tif 000003
【図２】
2010174493.tif 000004
【図３】
2010174493.tif 000005
【図４】
2010174493.tif 000006
【図５】
2010174493.tif 000007
【図６】
2010174493.tif 000008
【図７】
2010174493.tif 000009
【図８】
2010174493.tif 000010
【図９】
2010174493.tif 000011
【図１０】
2010174493.tif 000012
【図１１】
2010174493.tif 000013
【図１２】
2010174493.tif 000014
【図１３】
2010174493.tif 000015
【図１４】
2010174493.tif 000016
【図１５】
2010174493.tif 000017
【図１６】
2010174493.tif 000018
【図１７】
2010174493.tif 000019
【図１８】
2010174493.tif 000020
【図１９】
2010174493.tif 000021